(57)【要約】【課題】高さが一定しない収納物を、確実に固定できる容量可変箱を提供する。【解決手段】側板２の上端に天板４を連設し、天板４から延びるスペーサ５を折り込んで容量を変化させる容量可変箱において、前記スペーサ５は、基端側から順次設けた額縁部５ａと折込部５ｂとをコ字状に折り曲げ、額縁部５ａで内部の有効高さを規制するものとし、額縁部５ａの高さが異なる複数のスペーサ５を設けることにより、段階的に内部の有効高さを変えられるようにする。また、額縁部５ａに、天板４及び折込部５ｂとの境界の折目線を千鳥状にずらして、互いに傾斜した緩衝爪５ｃを形成し、スペーサ５の剛性を向上させる。スペーサ５は、一枚の天板４に並べて設け、この天板４と他の天板４とで天面を閉じる。【選択図】図２
2010018337.tif 000002
【特許請求の範囲】
【請求項１】
側板(2)の上端に天板(4)を連設し、天板(4)から延びるスペーサ(5)を折り込んで、容量を変化させる容量可変箱において、前記スペーサ(5)は、基端側から順次設けた額縁部(5a)と折込部(5b)とをコ字状に折り曲げ、額縁部(5a)で内部の有効高さを規制するものとし、額縁部(5a)の高さが異なる複数のスペーサ(5)を設けることにより、段階的に内部の有効高さを変えられるようにしたことを特徴とする容量可変箱。
【請求項２】
前記額縁部(5a)に、天板(4)及び折込部(5b)との境界の折目線を千鳥状にずらして、互いに傾斜した緩衝爪(5c)を形成したことを特徴とする請求項１に記載の容量可変箱。
【請求項３】
前記スペーサ(5)を、一枚の天板(4)に並べて設け、この天板(4)と他の天板(4)とで天面を閉じることを特徴とする請求項１又は２に記載の容量可変箱。
【発明の詳細な説明】
【技術分野】
【０００１】
この発明は、内部の有効高さを変えられる容量可変箱に関するものである。
【背景技術】
【０００２】
従来、下記特許文献１には、図１７に示すように、底板５１の周囲に側板５２，５３を設け、対向する側板５２の上端に天板５４を連設し、各天板５４の先端に、収納物Ｇの幅に対応したスペーサ５５を２枚並べて設け、スペーサ５５の折り込みにより、容量を変化させる容量可変箱が記載されている。
【０００３】
この容量可変箱では、積み重ねた収納物Ｇの側方及び上方に空間が生じる場合、一方のスペーサ５５の側縁が収納物Ｇの側面に当接して、収納物Ｇの側方への移動を阻止し、他方のスペーサ５５の先端が基端折目の反発により収納物Ｇの上面に当接して、収納物Ｇの上下方向の飛び跳ねを防止する。
【０００４】
【特許文献１】特開平９−２４５１号公報
【発明の開示】
【発明が解決しようとする課題】
【０００５】
しかしながら、上記のような容量可変箱では、収納物の上下方向の飛び跳ねを完全に阻止できず、厳重な固定を要する電子部品等の梱包には対応できないという問題がある。
【０００６】
そこで、この発明は、高さが一定しない収納物を、確実に固定できる容量可変箱を提供することを課題とする。
【課題を解決するための手段】
【０００７】
上記課題を解決するため、この発明は、側板の上端に天板を連設し、天板から延びるスペーサを折り込んで、容量を変化させる容量可変箱において、前記スペーサは、基端側から順次設けた額縁部と折込部とをコ字状に折り曲げ、額縁部で内部の有効高さを規制するものとし、額縁部の高さが異なる複数のスペーサを設けることにより、段階的に内部の有効高さを変えられるようにしたのである。
【０００８】
また、前記額縁部に、天板及び折込部との境界の折目線を千鳥状にずらして、互いに傾斜した緩衝爪を形成したのである。
【０００９】
さらに、前記スペーサを、一枚の天板に並べて設け、この天板と他の天板とで天面を閉じることとしたのである。
【発明の効果】
【００１０】
この発明に係る容量可変箱では、収納物の高さに応じて、コ字状に折り曲げるスペーサを選択し、折込部を収納物の上面に当接させ、額縁部で内部の有効高さを規制することにより、収納物を確実に固定でき、別途固定部材を用意する必要もない。
【００１１】
また、額縁部に、交互に逆方向に傾斜した緩衝爪を形成すると、スペーサの折曲角が一定に保持されて、スペーサが剛性に優れたものとなり、収納物の固定性が向上する。
【００１２】
さらに、一枚の天板にスペーサを並べて設けると、材料の用紙を有効に利用でき、梱包作業時に折り曲げるスペーサの選択を容易に行なうこともできる。
【発明を実施するための最良の形態】
【００１３】
まず、この発明の第１実施形態を図１乃至図４に基づいて説明する。
【００１４】
この容量可変箱は、図１に示すような段ボール製ブランクから形成される。このブランクでは、正方形状の底板１の一方の対向する２辺に側板２が、他方の対向する２辺に側板３がそれぞれ連設され、一対の側板２の先端に天板４が連設されている。段ボールの段目方向は、底板１、側板２及び天板４の連設方向に向いている。
【００１５】
一方の側板２の先端には、２枚のスペーサ５が並べて連設され、一対の側板３の両側には折曲片６が、先端には受止片７がそれぞれ連設されている。側板３の一側の折曲片６には係止溝６ａが設けられ、他側の折曲片６には縦方向の折目線６ｂが入れられている。
【００１６】
各スペーサ５には、額縁部５ａと折込部５ｂとが基端側から順次設けられ、各スペーサ５の額縁部５ａの寸法は、スペーサ５を折り曲げたとき、高さに差が生じるように設定されている。
【００１７】
また、各スペーサ５の額縁部５ａには、天板４及び折込部５ｂとの境界の折目線を千鳥状にずらして、緩衝爪５ｃが形成されている。額縁部５ａの基端外側部には、係合溝５ｄが設けられている。
【００１８】
このようなブランクを組み立てて、図２に示すように、電子部品のリールを収納した八角筒状のジャケットＪを梱包する際には、底板１から一対の側板３を起立させ、一側の折曲片６を内側へ直角に折り曲げ、係止溝６ａ同士を噛み合わせて側板３の起立状態を維持し、底板１にジャケットＪを載置する。
【００１９】
次に、受止片７を内側水平方向へ折り曲げ、スペーサ５を有する側板２を起立させ、これに繋がる天板４を閉じつつ、ジャケットＪの高さに応じて、スペーサ５を選択し、その額縁部５ａと折込部５ｂとをコ字状に折り曲げ、係合溝５ｄを受止片７に係合させて、この天板４を仮止めする。
【００２０】
このとき、折込部５ｂがジャケットＪの上面に当接し、額縁部５ａの緩衝爪５ｃが互いに傾斜して、額縁部５ａと天板４及び折込部５ｂとの折目線における折曲角が一定に保持される。
【００２１】
続いて、他側の折曲片６を基端で内側へ直角に折り曲げると共に、折目線６ｂに沿ってＶ字状に折り込み、その折込部でジャケットＪのコーナー部を押さえて、ジャケットＪのコーナー部間に貼り付けられた識別ラベルを箱内面に接触しないように保護する。
【００２２】
その後、図３に示すように、他方の天板４を閉じ、天板４同士の突合部に粘着テープＴを貼り付けて封緘する。
【００２３】
ここで、図２、図３及び図４（ａ）は、電子部品のリールを２枚重ねて収納するジャケットＪの梱包状態を示し、この場合、額縁部５ａの高さが低いスペーサ５をコ字状に折り曲げる。図４（ｂ）は、電子部品のリールを１枚のみ収納するジャケットＪの梱包状態を示し、この場合、額縁部５ａの高さが高いスペーサ５をコ字状に折り曲げる。
【００２４】
これらの状態では、額縁部５ａで内部の有効高さが規制され、互いに傾斜した緩衝爪５ｃにより、スペーサ５が剛性に優れたものとなり、ジャケットＪの箱内における飛び跳ねを確実に防止することができる。
【００２５】
また、図４（ｃ）に示すように、電子部品のリールを３枚重ねて収納するジャケットＪを梱包する場合には、いずれのスペーサ５も折り曲げることなく、これらのスペーサ５に他方の天板４を重ねて封緘することにより、ジャケットＪを固定して梱包できる。
【００２６】
次に、この発明の第２実施形態を図５乃至図８に基づいて説明する。
【００２７】
この容量可変箱は、図５に示すような段ボール製ブランクから形成される。このブランクでは、正方形状の底板１の１辺に側板２及び天板４が順次連設され、これに直角をなして隣接する１辺に一方の側板３、天板４及び他方の側板３が順次連設されている。側板２に繋がる天板４は小型とされ、側板３に繋がる天板４は大型とされている。底板１の段ボールの段目方向は、底板１、側板２及び天板４の連設方向に向いている。
【００２８】
底板１の側板３に対向する１辺には継代片８が連設され、底板１の側板２に対向する１辺には側片９ｃが連設され、一対の側板３及びその間の天板４には、側片９ｃと同側に側片９ｂ，９ａがそれぞれ連設されている。側板３の他側には、折曲片６が連設され、この折曲片６には、縦方向の折目線６ｂが入れられている。
【００２９】
大型の天板４には、側片９ａの反対側の端縁をコ字状に切り込んで、２枚のスペーサ５が並べて連設されている。各スペーサ５には、額縁部５ａと折込部５ｂとが基端側から順次設けられ、各スペーサ５の額縁部５ａの寸法は、スペーサ５を折り曲げたとき、高さに差が生じるように設定されている。
【００３０】
また、各スペーサ５の額縁部５ａには、天板４及び折込部５ｂとの境界の折目線を千鳥状にずらして、緩衝爪５ｃが形成されている。折込部５ｂには、スペーサ５を折り曲げる際、底板１との衝突を回避する折目線５ｅが入れられている。
【００３１】
このようなブランクを組み立てて、図６に示すように、電子部品のリールを収納した八角筒状のジャケットＪを梱包する際には、底板１、一対の側板３及びその間の天板４を角筒状に折り曲げ、継代片８を反対側の側板３の内面に貼着し、側片９ａ，９ｂ，９ｃを順次内側へ折り曲げて噛み合わせる。
【００３２】
次に、ジャケットＪの高さに応じて、スペーサ５を選択し、その額縁部５ａと折込部５ｂとをコ字状に折り曲げ、箱内にジャケットＪを挿入する。
【００３３】
このとき、折込部５ｂがジャケットＪの上面に当接し、額縁部５ａの緩衝爪５ｃが互いに傾斜して、額縁部５ａと天板４及び折込部５ｂとの折目線における折曲角が一定に保持される。
【００３４】
続いて、他側の折曲片６を基端で内側へ直角に折り曲げると共に、折目線６ｂに沿ってＶ字状に折り込み、その折込部でジャケットＪのコーナー部を押さえて、ジャケットＪのコーナー部間に貼り付けられた識別ラベルを箱内面に接触しないように保護する。
【００３５】
その後、図７に示すように、他方の天板４を閉じ、天板４同士の突合部に粘着テープＴを貼り付けて封緘する。
【００３６】
ここで、図８（ａ）は、電子部品のリールを１枚のみ収納するジャケットＪの梱包状態を示し、この場合、額縁部５ａの高さが高いスペーサ５をコ字状に折り曲げる。図６、図７及び図８（ｂ）は、電子部品のリールを２枚重ねて収納するジャケットＪの梱包状態を示し、この場合、額縁部５ａの高さが低いスペーサ５をコ字状に折り曲げる。
【００３７】
これらの状態では、額縁部５ａで内部の有効高さが規制され、互いに傾斜した緩衝爪５ｃにより、スペーサ５が剛性に優れたものとなり、ジャケットＪの箱内における飛び跳ねを確実に防止することができる。
【００３８】
また、図８（ｃ）に示すように、電子部品のリールを３枚重ねて収納するジャケットＪを梱包する場合には、いずれのスペーサ５も折り曲げることなく、これらのスペーサ５に他方の天板４を重ねて封緘することにより、ジャケットＪを固定して梱包できる。
【００３９】
次に、この発明の第３実施形態を図９乃至図１６に基づいて説明する。
【００４０】
この容量可変箱は、図９に示すような段ボール製ブランクから形成される。このブランクでは、正方形状の底板１の一方の対向する２辺に側板２が、他方の対向する２辺に側板３がそれぞれ連設され、一対の側板２の先端に天板４が連設されている。段ボールの段目方向は、底板１、側板２及び天板４の連設方向に向いている。
【００４１】
側板２，３の高さは、上記第１，２実施形態の約２倍とされ、天板４の両側には、箱内への沈み込みを防止するため側方へ張り出した部分と、粘着テープの貼着用に括れた部分とが設けられている。
【００４２】
一方の側板２の先端には、２枚のスペーサ５が並べて連設されている。各スペーサ５には、額縁部５ａと折込部５ｂとが基端側から順次設けられ、各スペーサ５の額縁部５ａの寸法は、スペーサ５を折り曲げたとき、高さに差が生じるように設定されている。
【００４３】
また、各スペーサ５の額縁部５ａには、天板４及び折込部５ｂとの境界の折目線を千鳥状にずらして、緩衝爪５ｃが形成されている。
【００４４】
一対の側板３の両側には折曲片６が連設され、側板３の一側の折曲片６には係止溝６ａが設けられている。一対の側板３の先端には、両側端が側板３より内側へ後退した内側板１０が連設され、内側板１０の両側にはコーナー片１１が連設されている。
【００４５】
内側板１０の両側部及びコーナー片１１には、水平方向の切目線１２ａが先端の手前まで入れられ、切目線１２ａを境界として帯状の支持片１２が設けられている。コーナー片１１には、支持片１２の中間部を切り込んで指入穴１２ｂが設けられ、支持片１２の両端及び中間部に対応して縦方向の折目線が入れられている。
【００４６】
内側板１０の中間部先端には係合突起１０ａが、底板１の側板３との境界沿い中間部には係合穴１ａがそれぞれ設けられている。
【００４７】
このようなブランクを組み立てて、電子部品のリールを収納した八角筒状のジャケットを梱包する際には、図１０に示すように、底板１から一対の側板３を起立させ、一側の折曲片６を内側へ直角に折り曲げ、係止溝６ａ同士を噛み合わせる。
【００４８】
これにより、側板３の起立状態を維持し、内側板１０を側板３の内側に重ねて、係合突起１０ａを係合穴１ａに係合させ、コーナー片１１を折曲片６へ向けて斜めに折り曲げ、コーナー片１１の先端部を折曲片６に内接させる。
【００４９】
次に、図１１に示すように、底板１にジャケットＪを載置し、スペーサ５を有する側板２を起立させ、これに繋がる天板４を閉じつつ、ジャケットＪの高さに応じて、スペーサ５を選択し、その額縁部５ａと折込部５ｂとをコ字状に折り曲げる。
【００５０】
このとき、折込部５ｂがジャケットＪの上面に当接し、額縁部５ａの緩衝爪５ｃが互いに傾斜して、額縁部５ａと天板４及び折込部５ｂとの折目線における折曲角が一定に保持される。
【００５１】
続いて、コーナー片１１でジャケットＪのコーナー部を押さえ、図１２に示すように、他側の折曲片６を基端で内側へ直角に折り曲げ、他方の天板４を閉じ、天板４同士の突合部に粘着テープＴを貼り付けて封緘する。
【００５２】
ここで、図１３（ａ）は、電子部品のリールを４枚収納するジャケットＪの梱包状態を示し、この場合、額縁部５ａの高さが高いスペーサ５をコ字状に折り曲げる。図１１、図１２及び図１３（ｂ）は、電子部品のリールを５枚重ねて収納するジャケットＪの梱包状態を示し、この場合、額縁部５ａの高さが低いスペーサ５をコ字状に折り曲げる。
【００５３】
これらの状態では、額縁部５ａで内部の有効高さが規制され、互いに傾斜した緩衝爪５ｃにより、スペーサ５が剛性に優れたものとなり、ジャケットＪの箱内における飛び跳ねを確実に防止することができる。
【００５４】
また、図１３（ｃ）に示すように、電子部品のリールを６枚重ねて収納するジャケットＪを梱包する場合には、いずれのスペーサ５も折り曲げることなく、これらのスペーサ５に他方の天板４を重ねて封緘することにより、ジャケットＪを固定して梱包できる。
【００５５】
一方、電子部品のリールを１〜３枚収納するジャケットＪを梱包する際には、ジャケットＪの高さが低いため、図１４及び図１５に示すように、指入穴１２ｂに指を掛け、支持片１２を内側へ屈曲させて引き出し、その上にジャケットＪを載せる。
【００５６】
ここで、図１６（ａ）は、電子部品のリールを１枚のみ収納するジャケットＪの梱包状態を示し、この場合、額縁部５ａの高さが高いスペーサ５をコ字状に折り曲げる。図１５及び図１６（ｂ）は、電子部品のリールを２枚重ねて収納するジャケットＪの梱包状態を示し、この場合、額縁部５ａの高さが低いスペーサ５をコ字状に折り曲げる。
【００５７】
これらの状態では、額縁部５ａで内部の有効高さが規制され、互いに傾斜した緩衝爪５ｃにより、スペーサ５が剛性に優れたものとなり、ジャケットＪの箱内における飛び跳ねを確実に防止することができる。
【００５８】
また、図１６（ｃ）に示すように、電子部品のリールを３枚重ねて収納するジャケットＪを梱包する場合には、いずれのスペーサ５も折り曲げることなく、これらのスペーサ５に他方の天板４を重ねて封緘することにより、ジャケットＪを固定して梱包できる。
【００５９】
このように、支持片１２を設けておくと、対応できる収納物の高さの範囲を拡大することができ、用意する箱の種類を削減することができる。
【００６０】
なお、上記各実施形態では、スペーサ５を高低２段設けたものを示したが、収納物の高さの種類に応じて、さらに多数段のスペーサ５を設けるようにしてもよい。
【００６１】
また、１枚の天板４にスペーサ５を横に並べて設けたものを示したが、対向する天板４にそれぞれスペーサ５を設けるようにしてもよく、１枚の天板４の幅を狭く設定して、その両側からそれぞれスペーサ５が延びるようにしてもよい。
【００６２】
また、各スペーサ５の額縁部５ａと天板４及び折込部５ｂとの境界の折目線を連続する直線として、緩衝爪５ｃを省略してもよい。
【００６３】
そのほか、底板１の周囲各辺に側板２，３が連設されたものを示したが、各一対の側板２，３が四角筒状に連設されて周壁を形成し、側板２，３の下端からそれぞれ延びる底板を重ね合わせて底面を閉じる溝切型（Ａ式）段ボール箱の天板にも、同様の構成を適用することができる。
【図面の簡単な説明】
【００６４】
【図１】この発明の第１実施形態に係る容量可変箱のブランクを示す図
【図２】同上の梱包過程を示す斜視図
【図３】同上の梱包状態を示す斜視図
【図４】同上の収納物の高さに対応した梱包状態の縦断正面図
【図５】この発明の第２実施形態に係る容量可変箱のブランクを示す図
【図６】同上の梱包過程を示す斜視図
【図７】同上の梱包状態を示す斜視図
【図８】同上の収納物の高さに対応した梱包状態の縦断正面図
【図９】この発明の第３実施形態に係る容量可変箱のブランクを示す図
【図１０】同上の梱包過程を示す斜視図
【図１１】同上の梱包過程を示す斜視図
【図１２】同上の梱包状態を示す斜視図
【図１３】同上の収納物の高さに対応した梱包状態の縦断正面図
【図１４】同上の支持片使用時の梱包過程を示す斜視図
【図１５】同上の梱包過程を示す斜視図
【図１６】同上の収納物の高さに対応した梱包状態の縦断正面図
【図１７】従来の容量可変箱の梱包状態を示す一部切欠斜視図
【符号の説明】
【００６５】
１  底板
１ａ  係合穴
２，３  側板
４  天板
５  スペーサ
５ａ  額縁部
５ｂ  折込部
５ｃ  緩衝爪
５ｄ  係合溝
６  折曲片
６ａ  係止溝
６ｂ  折目線
７  受止片
８  継代片
９ａ，９ｂ，９ｃ  側片
１０  内側板
１０ａ  係合突起
１１  コーナー片
１２  支持片
１２ａ  切目線
１２ｂ  指入穴
【図１】
2010018337.tif 000003
【図２】
2010018337.tif 000004
【図３】
2010018337.tif 000005
【図４】
2010018337.tif 000006
【図５】
2010018337.tif 000007
【図６】
2010018337.tif 000008
【図７】
2010018337.tif 000009
【図８】
2010018337.tif 000010
【図９】
2010018337.tif 000011
【図１０】
2010018337.tif 000012
【図１１】
2010018337.tif 000013
【図１２】
2010018337.tif 000014
【図１３】
2010018337.tif 000015
【図１４】
2010018337.tif 000016
【図１５】
2010018337.tif 000017
【図１６】
2010018337.tif 000018
【図１７】
2010018337.tif 000019